(57)【要約】【課題】光源から外部に取り出される光の色温度を、制御回路を用いて色温度の異なる複数の発光素子の発光出力比率を調整する制御を必要とせずに変更する方法、及びこの方法を利用した照明装置を提供する。【解決手段】ＬＥＤ１０の発光面を樹脂層１１により被覆してなる光源１を、光反射性を有する支持体１２上に支持し、この支持体１２に対向するように調光板２を配置する。調光板２は、光を透過する透光部２０及び光を反射する反射部２１を有し、板面の方向に支持体１２に対して相対移動し、透光部２０及び反射部２１と光源１との重なり状態が変化する。光源１の発光の一部は、反射部２１により反射されて光源１に戻り、樹脂層１１が新たに蛍光を発する。光板２の他面側への出射光の色温度は、光源１に対する反射部２１の重なりに応じて、蛍光の割合が変化することで変化する。【選択図】図１
2012119270.tif 000002
【特許請求の範囲】
【請求項１】
ＬＥＤ等の固体発光素子を蛍光体により被覆してなる光源と、
光反射性を有し、前記光源が装着される被装着部と、
前記光源からの光を前記蛍光体側に反射する反射部とを有し、
該反射部から前記蛍光体側へ反射される光の量を調整することで前記蛍光体から励起される蛍光の量を変化させて、前記光源から出射される光の色温度を変更することを特徴とする色温度変更方法。
【請求項２】
ＬＥＤ等の固体発光素子を蛍光体により被覆してなる光源と、
光反射性を有し、前記光源が装着される被装着部と、
前記光源からの光を前記蛍光体側に反射する反射部と、
該反射部から前記蛍光体側へ反射される光の量を調整することで前記蛍光体から励起される蛍光の量を変化させて、前記光源から出射される光の色温度を変更する色温度変更手段と
を備えることを特徴とする照明装置。
【請求項３】
前記色温度変更手段は、前記光源と、該光源に近接して対向させた前記反射部との相対位置を、前記光源の光出射方向と直交する方向に変化させることを特徴とする請求項２に記載の照明装置。
【請求項４】
前記色温度変更手段は、前記光源と、該光源の光出射方向に対向して設けられた前記反射部との相対位置を、前記光源から接離する方向に変化させることを特徴とする請求項２に記載の照明装置。
【発明の詳細な説明】
【技術分野】
【０００１】
本発明は、光の色温度を変更する方法、及びこの方法により照明光の色温度の変更を可能とした照明装置に関する。
【背景技術】
【０００２】
近年、発光ダイオード（ＬＥＤ）等の固体発光素子を光源として使用し、色温度を変更可能とした照明装置が実用化されている（例えば、特許文献１参照）。これらの照明装置は、発光色が異なる複数種の発光素子を選択的に発光させることにより色温度の変更に対応している。
【０００３】
特許文献１に記載の照明装置においては、白色に発光するＬＥＤと、単色（黄色、オレンジ色等）に発光するＬＥＤとを使用し、白色と電球色との間での色温度の変更を実現している。
【先行技術文献】
【特許文献】
【０００４】
【特許文献１】特開２００５−１００７９９号公報
【発明の概要】
【発明が解決しようとする課題】
【０００５】
しかしながら、特許文献１に記載の照明装置においては、色温度の変更範囲を、太陽光の色温度である６５００Ｋ（ケルビン）前後に特化し、白色ＬＥＤを含む２種類のＬＥＤの発光出力の比率を制御することにより、例えば、白色と電球色との間等、一般的な照明装置に必要な色温度の変更を実現しているが、この装置においては、色温度の異なる２種類のＬＥＤの発光出力の比率を調整する発光制御のための制御系が必要となり、装置の構成が複雑となるという問題が残る。
【０００６】
本発明は斯かる事情に鑑みてなされたものであり、光源から外部に取り出される光の色温度を、制御回路を用いて色温度の異なる複数の発光素子の発光出力比率を調整する制御を必要とせずに変更する方法、及びこの方法を利用した照明装置を提供することを目的とする。
【課題を解決するための手段】
【０００７】
本発明に係る光の色温度変更方法は、ＬＥＤ等の固体発光素子を蛍光体により被覆してなる光源と、光反射性を有し、前記光源が装着される被装着部と、前記光源からの光を前記蛍光体側に反射する反射部とを有し、該反射部から前記蛍光体側へ反射される光の量を調整することで前記蛍光体から励起される蛍光の量を変化させて、前記光源から出射される光の色温度を変更することを特徴とする。
【０００８】
本発明に係る照明装置は、ＬＥＤ等の固体発光素子を蛍光体により被覆してなる光源と、光反射性を有し、前記光源が装着される被装着部と、前記光源からの光を前記蛍光体側に反射する反射部と、該反射部から前記蛍光体側へ反射される光の量を調整することで前記蛍光体から励起される蛍光の量を変化させて、前記光源から出射される光の色温度を変更する色温度変更手段とを備えることを特徴とする。
【０００９】
本発明においては、光源の発光を反射部により反射して蛍光体側に戻す光量を変えることで光源から出射される光の色温度を変更する。色温度の変更は、反射光量の増減に応じて変化する。例えば、青色ＬＥＤと黄色〜オレンジ色の蛍光体との組み合わせにより白色光を発光する光源を使用した場合、出射光の色温度は、蛍光の増加に応じて低温度側にシフトし、白色と電球色との間で光の色温度を変更することができる。
【００１０】
また本発明に係る照明装置は、前記色温度変更手段が、前記光源と、該光源に近接して対向させた前記反射部との相対位置を、前記光源の光出射方向と直交する方向に変化させることを特徴とする。
【００１１】
この発明において色温度変更手段は、光源の光出射方向と直交する方向に反射部を移動させ、反射部の反射光量を増減して色温度の変更を実現する。
【００１２】
また本発明に係る照明装置は、前記色温度変更手段が、前記光源と、該光源の光出射方向に対向して設けられた前記反射部との相対位置を、前記光源から接離する方向に変化させることを特徴とする。
【００１３】
この発明において色温度変更手段は、光源に対して接離する方向に反射部を移動させ、反射部の反射光量を増減して色温度の変更を実現する。
【発明の効果】
【００１４】
本発明によれば、光源から外部に取り出される光の色温度を、制御回路を用いて色温度の異なる複数の発光素子の発光出力比率を調整する制御を必要とせずに変更する方法、及びこの方法を利用した照明装置を提供することが可能となる。
【図面の簡単な説明】
【００１５】
【図１】本発明方法の実施形態を示す説明図である。
【図２】本発明方法の他の実施形態を示す説明図である。
【図３】本発明方法の効果を実証する実験の結果を示す図である。
【図４】本発明に係る照明装置の実施の形態を示す外観図である。
【図５】図４に示す照明装置の縦断面図である。
【図６】反射板の面上での光源の配置例及び調光板の反射部の配置例を略示する平面図である。
【図７】調光板と反射板とが重なった状態を示す平面図である。
【図８】本発明に係る照明装置の他の実施の形態を示す縦断面図である。
【発明を実施するための形態】
【００１６】
以下、本発明をその実施の形態を示す図面に基づいて説明する。図１は、本発明に係る光の色温度変更方法（以下本発明方法という）の実施形態を示す説明図である。本図に示すように本発明方法は、単一の光を発光する光源１と、該光源１に対向配置された調光板２（色温度変更手段に相当する）とを用いて実施する。
【００１７】
光源１は、ＬＥＤ１０と樹脂層１１とを備えており、高い光反射性を有する支持体１２上に所定間隔毎に複数取付けてある。ＬＥＤ１０は、例えば、青色光を発光する青色ＬＥＤである。樹脂層１１は、ＬＥＤ１０の発光色と補色関係にある黄色〜オレンジ色の蛍光を発する蛍光体が分散された樹脂を、ＬＥＤ１０の発光面を封止するように積層して形成されている。
【００１８】
このように構成された光源１は、ＬＥＤ１０の発光と、この発光の光エネルギの作用により樹脂層１１が発する蛍光とが合成されることにより擬似白色光を発光する。擬似白色光は、ＬＥＤ１０が出射する青色光と、ＬＥＤ１０からの青色光の一部が蛍光体により励起されて出射する黄色の蛍光とが混合されることにより発生する。以下の説明では、以上のような「擬似白色光」を「白色光」と記述する。
【００１９】
調光板２は、光を透過する透光部２０と、光を反射する反射部２１とを有している。調光板２は、例えば、高い光反射性を有する樹脂材料製の板の一部に窓穴を設け、該窓穴の形成部分を透光部２０とし、残りの部分を反射部２１として構成することができる。高い光反射性を有する樹脂材料は、例えば、酸化チタンなどの白色顔料を樹脂材料中に配合することにより実現できる。また調光板２は。透明材料製の板の一部に、高い光反射性を有する反射シートを被着し、該反射シートの被着部分を反射部２１とし、残りの部分を透光部２０として構成することもできる。
【００２０】
このように構成された調光板２は、光源１を支持する支持体（被装着部に相当する）１
２の一面と略平行をなすように対向するように、光源１に近接した位置に配置してあり、適宜の手段により板面方向への移動自在とする。板面方向とは、調光板２の板面に沿う方向であり、光源１の光出射方向と直交する方向に相当する。光源１を支持する支持体１２は、高い光反射性を有する板であり、調光板２と同様の材料により構成することができ、光源１は、支持体１２の面上に、適宜の間隔を隔てて複数並設してある。
【００２１】
図１Ａ〜Ｃには、調光板２の移動位置を種々に変更した状態が示してあり、調光板２を移動させることにより、該調光板２に設けられた透光部２０及び反射部２１と、支持体１２上の光源１との間の位置関係は、図示のように相対的に変化する。
【００２２】
図１Ａは、調光板２の透光部２０が光源１と対向した状態を示し、図１Ｃは、調光板２の反射部２１が光源１と近接して対向した状態を示しており、図１Ｂは、図１Ａと図１Ｃとの中間的な状態を示している。調光板２は、例えば、図１Ａに示す状態から白抜矢符により示す方向（光源１の光出射方向と直交する方向）に移動し、図１Ｂに示す状態を経て、図１Ｃに示す状態に移行する。
【００２３】
図中の矢符は、光源１の発光を示している。図１Ａの状態で光源１が発光した場合、この発光の大部分は、破線の矢符により示すように、光源１と整合する透光部２０を経て調光板２の外側に出射される。一方、残りの光は、実線の矢符により示すように、調光板２の反射部２１に当たって反射し、支持体１２との間での反射を繰り返し、透光部２０を経て調光板２の外側に出射される。このとき、出射光の色温度は、ＬＥＤ１０の発光の色温度と略同じであり、前述したように、青色光を発光するＬＥＤ１０の発光面を、黄色〜オレンジ色の蛍光を発する樹脂層１１を被覆してなる光源１を採用した場合、調光板２の外側には白色光が出射される。
【００２４】
これに対し、図１Ｃの状態で光源１が発光した場合、この発光の大部分は、実線の矢符により示すように、光源１と整合する反射部２１に当たって反射し、支持体１２との間で反射を繰り返し、調光板２の外側に出射される。光源１の発光の一部は、破線の矢符により示すように透光部２０から直接的に出射されるが、この光の量はわずかである。
【００２５】
このとき、反射部２１で反射する反射光の多くは、直下に位置する光源１の樹脂層１１に当たり、該樹脂層１１が新たに蛍光を発する。樹脂層１１が発する蛍光は、黄色〜オレンジ色の色温度を有することから、調光板２の外側には、光源１が発生する白色光に樹脂層１１が発する多くの蛍光が混在し、白色光よりも低い側にシフトされた色温度を有する光、すなわち、電球色に近い光が出射される。
【００２６】
ここで、光の色温度は、反射部２１から樹脂層１１に光が反射され、ＬＥＤ１０から出射された青色光が再度樹脂層１１を透過することで蛍光体に励起され、出射光のうち青色光に対する蛍光（黄色光）の割合が多くなることにより変化する。すなわち、光源１０からの出射光のうち、青色光の割合が減り、蛍光の割合が多くなるため、色温度が低温度側へシフトするのである。
【００２７】
図１Ｂは、図１Ａと図１Ｃとの中間的な状態であり、この状態において調光板２の外側では、白色と電球色とが混在し、両者の中間的な色温度を有する光が得られる。以上説明した実施の形態においては、透光部２０及び反射部２１を有する調光板２を支持体１２上に支持された光源１に反射部２１が近接して対向するように配置し、この調光板２を板面方向に移動させ、光源１に対する反射部２１（及び透光部２０）の相対位置を、光源１の光出射方向と直交する方向に変化させることにより、調光板２の外側に出射される光の色温度を変更することができる。
【００２８】
反射部２１を光源１に近接させる距離が短いほど光源１の樹脂層１１側へ反射する光量が多くなる。即ち、光源１から出射される蛍光の量が多くなるので、図１Ａの状態から図１Ｃの状態へ調光板２を移動させることで色温度の変化がより大きくなる。たとえば青色ＬＥＤを黄色蛍光体を含む樹脂層で被覆した光源１の場合、色温度は、より低温度側へ大きくシフトする。従って、反射部２１を光源１に近接する距離によって色温度の変化割合が異なる。反射部２１と光源１とが近接する距離は、照明装置の色温度変化の仕様によって適宜決定される。
【００２９】
調光板２は、図１に示す板面方向に限らず、適宜の方向に移動させることができる。図２は、本発明方法の他の実施形態を示す説明図である。この実施の形態においても、光源１と調光板２とを使用する。図１に示す実施の形態と同様、光源１は、ＬＥＤ１０と樹脂層１１とを備え、単一の色温度の光（例えば、白色光）を発光するように構成されており、光反射性を有する支持体１２上に所定間隔毎に複数取付けてある。
【００３０】
調光板２は、図１に示す実施の形態と同様、反射部２１と透光部２０とを備え、支持体１２の一面と略平行をなすように対向配置してあるが、この調光板２は、図１に示す実施の形態とは異なり、板面と直交する方向、すなわち、光源１に対して接離する方向に移動自在としてある。
【００３１】
図２Ａは、調光板２が支持体１２に接近した状態を示してある。この状態で光源１が発光した場合、この発光の大部分は、実線の矢符により示すように、近接して位置する反射部２１に当たって反射し、該反射部２１と支持体１２との間で反射を繰り返し、調光板２の外側に出射される。反射部２１で反射する反射光の多くは、該反射部２１の直下に位置する光源１の樹脂層１１に当たり、該樹脂層１１が新たに蛍光を発する。樹脂層１１が発する蛍光は、黄色〜オレンジ色の色温度を有することから、調光板２の外側には、白色光よりも低温側にシフトされた色温度を有する光、すなわち、電球色に近い光が出射される。
【００３２】
図２Ｂは、調光板２が支持体１２から離反した状態を示してある。この状態で光源１が発光した場合、この発光の一部は、図中に破線の矢符により示すように、離反して位置する調光板２の透光部２０を通って直接的に出射される。一方、残りの発光は、図中に実線の矢符により示すように、調光板２の反射部２１に当たり、支持体１２上の光源１に向けて反射するが、支持体１２上の光源１は、反射部２１から離れて位置することから、該光源１の樹脂層１１に反射光が当たる頻度は低くなり、反射光の作用により樹脂層１１が新たに発する蛍光の量は少ない。従って、調光板２の外側には、光源１が発光する白色光よりもわずかに低い側にシフトされた色温度を有する光が出射される。この出射光は、見た目上は白色光である。
【００３３】
この実施の形態においても光の色温度は、反射部２１から樹脂層１１に光が反射され、ＬＥＤ１０から出射された青色光が再度樹脂層１１を透過することで蛍光体に励起され、出射光のうち青色光に対する蛍光（黄色光）の割合が多くなることにより変化する。すなわち、光源１０からの出射光のうち、青色光の割合が減り、蛍光の割合が多くなるため、色温度が低温度側へシフトするのである。
【００３４】
この実施の形態においては、透光部２０及び反射部２１を有する調光板２を支持体１２上に支持された光源１から接離する方向に移動させ、光源１に対して透光部２０及び反射部２１を相対変位させることにより、調光板２の外側に出射される光の色温度を、白色から電球色の間で変更することができる。
【００３５】
図３は、本発明方法の効果を実証する実験の結果を示す図である。図３Ａは、白色ＬＥＤの発光の色温度分布が示してあり、６５００Ｋ（ケルビン）の近傍にピークを有し、太陽光に近い白色光の色温度分布が得られている。
【００３６】
図３Ｂには、調光板２に相当する反射フィルムを以上のような白色ＬＥＤに近接するように対向配置し、該反射フィルムを経て観察される光の色温度分布を示してある。この場合、６５００Ｋ（ケルビン）の近傍のピークが減少し、４５００Ｋ（ケルビン）前後に別のピークが出現する色温度分布となり、平均的な色温度は、白色光よりも低温度側にシフトされることがわかる。
【００３７】
以上のように本発明方法においては、光源１として単色の発光素子を使用し、該光源１に対して調光板１を相対移動させることにより外部に取出される光の色温度を変更する。調光板２は、手動、電動等の手段により移動させることができる。手動により移動させる場合、何らの制御回路による光源出力の制御をも必要としない。また電動により移動させる場合、モータ等の駆動手段を駆動、停止する単純な制御を必要とするのみである。光源１に対しては、光量制御を含めた何らの制御回路による出力制御も必要としない。従って、本発明方法においては、複雑な制御を必要とせず、しかも単色の発光素子を使用して色温度を変更することができる。すなわち、色温度の異なる複数の発光素子の発光出力比率を制御回路にて調整する制御を必要とせずに光源からの光の色温度を変更することが可能となる。
【００３８】
以上の如く実施される本発明方法は、発光ダイオード（ＬＥＤ）に代表される固体発光素子を光源とする種々の照明装置において利用することができる。図４は、光の色温度の変更を可能とした本発明に係る照明装置の実施の形態を示す外観図、図５は、図４に示す照明装置の縦断面図である。
【００３９】
図４、図５に示す照明装置１００は、一側が縮径され、他側が拡径された筒形のヒートシンク３０を備えている。ヒートシンク３０の縮径端には、絶縁筒４０を介して口金５０が取付けてあり、またヒートシンク３０の拡径端には、反射板６０を介してドーム形のカバー７０が取付けてある。照明装置１００は、ヒートシンク３０、口金５０及びカバー７０を外形とする電球の形態をなしている。
【００４０】
口金５０は、図５に示すように、アルミニウム、銅等の導電性に優れた金属材料製の薄肉円筒体であり、その周囲には、周壁の成形により、Ｅ２６、Ｅ１７等の口金規格に適合するねじ部５１が設けてある。このような口金５０を備える照明装置１００は、白熱電球用のソケット（図示せず）に口金５０をねじ込むことにより商用電源に接続し、白熱電球の代替品として使用することができる。
【００４１】
絶縁筒４０は、ポリブチレンテレフタレート（ＰＢＴ）樹脂等、電気絶縁性に優れると共に、耐薬品性、寸法安定性、成形性、難燃性に優れた樹脂材料製の円筒形の成形体であり、口金５０との接続のための接続部４１を一側に備えている。図５に示すように、接続部４１の外周には、雄ねじが設けてあり、絶縁筒４０と口金５０とは、接続部４１外周の雄ねじを口金５０のねじ部５１に内側から螺合させて一体に接続されている。
【００４２】
また絶縁筒４０の内部には、回路基板４２が、図５に示すように起立姿勢で保持されている。回路基板４２には、電源回路、制御回路を構成する複数の回路部品が実装されており、これらは、接続部４１の周壁に開設された窓穴４３を通した導線（図示を省略する）により口金５０に接続されている。更に絶縁筒４０の内部には、熱伝導材４４が充填されている。該熱伝導材４４は、窓穴４３を介して口金５０に接触し、回路基板４２の発熱を口金５０に伝え、該口金５０を介して外部に放出する。熱伝導材４４としては、例えば、シリコーンゲル、ポリウレタン等、熱伝導性の良好な樹脂材料を用いることができる。
【００４３】
絶縁筒４０の他側には、複数の係合爪４５（図５に２つのみ図示）が突設されている。係合爪４５は、絶縁筒４０の内周縁に沿って立ち上がる薄肉の弾性脚の先端に外向きに突設された爪部を備え、ヒートシンク３０との結合のために設けられている。
【００４４】
前述したようにヒートシンク３０は、一側が縮径され、他側が拡径された筒体であり、図５に示すように、薄板をプレス成形してなる筒状部３１の拡径側を、一体に接合された円板状をなす固定板３２により塞いで構成されている。なお、筒状部３１の周面には、図示を省略した凹凸を形成することができる。この凹凸は、使用状態において外気との接触面積を増し、放熱用のフィンとして作用する。
【００４５】
筒状部３１の縮径側には、内向きに略直角に屈曲して環状の平坦部３３が設けてあり、該平坦部３３の内周部には、周方向に相対向する２箇所に、拡径側に向けて延びる固定片３４が設けてある。ヒートシンク３０と絶縁筒４０とは、図５に示すように、係合爪４５が突設された絶縁筒４０の他側を、平坦部３３及び固定片３４が設けられた筒状部３１の縮径端に位置合わせし、該縮径端に押し込むことにより結合される。このとき、筒状部３１の縮径端に設けた平坦部３３は、絶縁筒４０の端面に当接し、絶縁筒４０とヒートシンク３０との同軸性を保つ作用をなす。また、絶縁筒４０に設けた係合爪４５は、外向きに突出する先端の爪部を固定片３４の周縁に係合させて、ヒートシンク３０の抜けを防止する作用をなす。
【００４６】
ヒートシンク３０の拡径側に設けた固定板３２の表面には、複数の光源１が後述するように配してある。光源１は、例えば、図１及び図２に示すように、青色光を発光する青色ＬＥＤの発光面を黄色〜オレンジ色の蛍光を発する蛍光体により被覆して、白色光を発光するように構成されたＬＥＤモジュールである。なお光源１は、白色以外の光を発光するＬＥＤモジュールであってもよく、またＥＬ（Electro Luminescence）素子等、ＬＥＤ以外の固体発光素子を備えるものであってもよい。
【００４７】
光源１は、放熱シート（図示を省略する）を介して固定板３２の表面に密着配置され、該固定板３２に重ねた反射板６０との間に挾持固定されている。放熱シートは、シリコーンゲル等、良好な熱伝導性と電気的な絶縁性とを併せ持つ樹脂材料製のシートであり、発光に伴う光源１の発熱を広範囲に亘って固定板３２に伝え、ヒートシンク３０に効率良く伝えると共に、光源１の電極と金属製の固定板３２との間に絶縁距離を確保し、絶縁耐圧を高める作用をなす。
【００４８】
反射板６０は、光源１の位置に開設された窓穴６１を備えており、光源１は、各別の窓穴６１を介して反射板６０の表面側に露出させてある。反射板６０は、絶縁性に優れ、高い光反射率を有する樹脂製の円板の周縁部を、全周に亘って表面側に立ち上げ、浅底の皿形の形状を有している。高い光反射率は、酸化チタンなどの白色顔料を樹脂材料中に配合することにより実現できる。反射板６０の材料としては、例えば、住友ダウ製の「ＬＲ８０３１Ｖ」が用いられ、この場合には、９５％前後の高反射率を得ることができる。
【００４９】
以上の如き固定板３２及び反射板６０は、光源１を支持すると共に、光源１の発光を反射する作用をなすものであり、図１及び図２における支持体１２に相当する。光源１は、ヒートシンク３０内部の回路基板４２に、反射板６０及び固定板３２を通して下方に延びるリード線（図示を省略する）を介して接続してあり、回路基板４２からの電力供給により白色光を発光する。
【００５０】
反射板６０には、これの上部を覆うようにカバー７０が装着される。カバー７０は、例えば、乳白色のポリカーボネート樹脂を使用し、図５に示すように、略半球形のドーム状をなして成形されており、開口部周縁を反射板６０の立ち上がり部周縁に位置合わせし、前者に設けた突条を後者に設けた係合溝に嵌め込むことにより装着されており、前記突条及び係合溝の係合下において、反射板６０の軸心を中心とする適宜の角度範囲内で回転可能としてある。
【００５１】
このように装着されたカバー７０の内部には、開口近傍の全面を覆い、カバー７と一体回転可能として調光板２が取付けてある。この調光板２は、図１、図２に示す調光板２に相当するものであり、例えば、透光性を有する樹脂製のパネルの一面に高い光反射率を有する反射シートを局所的に被着し、反射シートの被着部分を反射部２１とし、残りの部分を透光部２０として構成されており、反射板６０の面上に前述の如く配置された光源１に近接対向するように位置する。調光板２は、カバー７０の内周に固着し、カバー７０と一体としてもよく、またカバー７０とは別体とし、一体回転可能に取付けてもよいし、調光板２のみを回転させるように構成してもよい。
【００５２】
図６は、反射板６０の面上での光源１の配置例及び調光板２の反射部２１の配置例を略示する平面図である。本図に示すように光源１は、反射板６０と同心の円周上に等配をなすように３つ配置されている。また調光板２の反射部２１は、調光板２と同心で光源１の配設円周と同径の円周上において、等配をなす３箇所を起点とし、周方向の同向きに異なる長さを有して設けてある。
【００５３】
このような調光板２は、前述した取付けにより、光源１が設けられた反射板６０の上に同軸上に重なり、カバー７０の操作により軸心周りに回転することができる。図７は、調光板２と反射板６０とが重なった状態を示す平面図であり、調光板２を回転させた場合の光源１及び反射部２１の位置関係の変化を示している。
【００５４】
図７Ａの回転位置において調光板２に設けた３箇所の反射部２１は、反射板６０上の３つの光源１の夫々と重なった状態にある。この状態は、図１Ｃの状態に相当し、夫々の光源１の発光の大部分は、対応する反射部２１により反射され、直下に位置する光源１の発光面を覆う蛍光体に当たり、該蛍光体が蛍光を発する。蛍光体が発する蛍光は、前述したように、黄色〜オレンジ色の色温度を有することから、調光板２の外側（表面側）には、光源１が発生する白色光よりも低い色温度を有する光、即ち、電球色に近い光が出射される。
【００５５】
図７Ａの状態から調光板２を反時計周りに回転させた場合、反射部２１と光源１との位置関係は、図７Ｂ〜図７Ｄに示すように順次変化する。図７Ｂにおいては、３箇所の反射部２１のうち、最短の１つの反射部２１が対応する光源１の上位置から外れ、また図７Ｃにおいては、２つの反射部２１が対応する光源１の上位置から外れ、更に図７Ｄにおいては、３つの反射部２１の全てが対応する光源１の上位置から外れた状態となる。
【００５６】
図７Ｄの状態は、図１Ａの状態に相当し、夫々の光源１の発光の多くは、反射部２１に反射されずに透光部２０を経て外部に出射されるから、調光板２の外側（表面側）には、光源１が発生する白色光に近い色温度を有する光が出射される。図７Ｂ、Ｃの状態においては、光源１と反射部２１との重なり部分の減少により反射部２１による反射光が減少するから、調光板２の表面側への出射光は、電球色から白色へ連続的に変化する。
【００５７】
このように出射される光は、ドーム形をなすカバー７０の全面から出射される。照明装置１００は、カバー７０の全面からの出射光により周辺を良好に照明することができる。このような照明光の色温度は、カバー７０と共に調光板２を回転させることにより変化するから、照明装置１００の使用者は、白色〜電球色の間で適宜に選択した照明光を得ることができる。このような色温度の変更は、光源１に対する何らの制御も必要とせず、カバー７０を把持して回転させる簡易な操作により実現することができる。
【００５８】
光源１に対しては、光量制御を含めた何らの制御回路による出力制御も必要としない。従って、複雑な制御を必要とせず、しかも単色の発光素子を使用して色温度を変更することができる。すなわち、色温度の異なる複数の発光素子の発光出力比率を制御回路にて調整する制御を必要とせずに光源からの光の色温度を変更することが可能となる。
【００５９】
調光板２は。透光性を有するパネルの一部に反射シートを被着した簡素な構成であり、カバー７０の内部に一体回転可能に配してあるだけであるから、従来の構造を大幅に変更することなく色温度の変更を実現することができる。
【００６０】
図８は、照明装置の他の実施の形態を示す縦断面図である。図８に示す照明装置１００は、光源１の構成及び配置、並びに調光板２の構成及び配置を除けば、図５に示す照明装置１００と同じであり、対応する構成部材に図５と同一の参照符号を付して詳細な説明を省略する。
【００６１】
図８の照明装置１００において、光源１は、例えば、セラミック製の基板の一面に複数の青色ＬＥＤ（図示を省略する）を格子状に実装し、これらを黄色の蛍光体を含む樹脂で封止し、白色光を発光するように構成されたＬＥＤモジュールであり、固定板３２の中央部に配置し、該固定板３２と、これの上部に重ねた反射板６０との間に挾持固定されている。反射板６０は、中央部に開設された窓穴６１を備えており、光源１の発光面は、窓穴６１を介して反射板６０の表面側に露出させてある。
【００６２】
調光板２は、透光性を有する樹脂製のパネルの一面中央部に高い光反射率を有する反射シートを被着し、反射シートの被着部分を反射部２１とし、残りの部分を透光部２０として構成されている。調光板２は、円板状をなし、外周を縁取るように周設された広幅の鍔部２２を備えており、調光板２の鍔部２２の外周には、雄ねじが形成してある。また反射板６の全面を覆うドーム形のカバー７０には、開口部近傍の内周に雌ねじが形成してあり、調光板２は、図８に示すように、鍔部２２外周の雄ねじをカバー７０内周の雌ねじに螺合させ、該カバー７０に取り付けてある。
【００６３】
一方、反射板６０の上面には、光源１の固定部の外側に、複数のガイド棒６２が垂直をなして立設されており、これらは、調光板２の該当部位に貫通形成されたガイド穴２３に夫々挿通されている。ガイド棒６２及びガイド穴２３は、反射板６０に対する調光板２の相対回転を拘束する作用をなす。
【００６４】
このように構成された照明装置１００においても、カバー７０は、軸周りに回転操作することが可能である。カバー７０の内部の調光板２は、ガイド棒６２及びガイド穴２３により回転を拘束されていることから、カバー７０が回転した場合、鍔部２２外周の雄ねじの螺進によりカバー７０内周の雌ねじの形成範囲内にて昇降し、図８中に実線により示す下位置と、図８中に２点鎖線により示す上位置との間で移動する。
【００６５】
調光板２が下位置にあるとき、調光板２に設けられた反射部２１は、反射板６０上の光源１に接近する。この状態は、図２Ａの状態に相当し、光源１の発光の大部分は反射部２１により反射され、光源１の発光面を覆う蛍光体に当たり、該蛍光体が蛍光を発する。蛍光体が発する蛍光は、黄色〜オレンジ色の色温度を有することから、調光板２の外側（表面側）には、光源１が発生する白色光よりも低い色温度を有する光、即ち、電球色に近い光が出射される。
【００６６】
調光板２が上位置にあるとき、調光板２に設けられた反射部２１は、反射板６０上の光源１から離反する。この状態は、図２Ｂの状態に相当し、光源１の発光の一部は、反射部２１の周りの透光部２０を直接的に透過して出射される。また残りの発光は、反射部２１に当たって反射されるが、該反射部２１から離れて位置する光源１に戻る反射光量は少ない。従って、調光板２の外側には、光源１が発光する白色光に近い色温度を有する光が出射される。
【００６７】
図８に示す照明装置１００においても、カバー７０を回転させ、該カバー７０内で調光板２を昇降移動させることにより、カバー７０の外側に出射される照明光の色温度を、電球色と白色との間で変更することができる。このような色温度の変更は、光源１に対する何らの制御も必要とせず、カバー７０を把持して回転させる簡易な操作により実現することができる。
【００６８】
光源１に対しては、光量制御を含めた何らの制御回路による出力制御も必要としない。従って、複雑な制御を必要とせず、しかも単色の発光素子を使用して色温度を変更することができる。すなわち、色温度の異なる複数の発光素子の発光出力比率を制御回路にて調整する制御を必要とせずに光源からの光の色温度を変更することが可能となる。
【００６９】
なお以上の実施の形態においては、白色光を発光する光源１を使用し、白色と電球色との間で色温度を変更する場合について説明したが、白色以外の色温度の光を発光する光源１を使用してもよい。
【００７０】
また以上の実施の形態においては、電球形の照明装置１００への適用例について説明したが、本発明は、ダウンライト、シーリングライト等、他の形態の照明装置にも広く適用可能であることは言うまでもない。更に、以上の実施の形態においては、調光板２を手動により移動させるようにしてあるが、調光板２は、適宜のアクチュエータにより移動させるようにしてもよい。
【符号の説明】
【００７１】
１    光源
２    調光板（色温度変更手段）
１０  ＬＥＤ（固体発光素子）
１１  蛍光体
１２  支持体（被装着部）
２０  透光部
２１  反射部
３２  固定板（支持体）
６０  反射板（支持体）
７０  カバー
【図１】
2012119270.tif 000003
【図２】
2012119270.tif 000004
【図３】
2012119270.tif 000005
【図４】
2012119270.tif 000006
【図５】
2012119270.tif 000007
【図６】
2012119270.tif 000008
【図７】
2012119270.tif 000009
【図８】
2012119270.tif 000010